(57)【要約】      （修正有）【課題】ポケットの無い女性用の上着の内ポケットの役割を果たすベストを提供する。【解決手段】本品は、全体を薄く軽く通気性の良いメッシュ生地にし、左右の前身頃の合わせを深いＶ字型にすることにより、ポケットの無い女性用ジャケットの下に着用しても外から見えず、年間を通して着用でき、シルエットの崩れを小さくすることが可能である。左右内ポケット６、７は、紙幣を折り曲げないで入れられる長形の財布等をすっぽり収納することができ、ポケットの開口部はファスナー６ａ又はボタンループ７ｂとボタン７ｃで開閉できるようにこれらを取り付け、前屈みになった時やベストの脱着時にポケットの中の収納物の滑り出しを防ぐ。左右前身頃１、２及び右表ポケットの表面にレース生地を重ねた２枚仕立てにすると、ジャケットのボタンを開けて着用しても、メッシュ生地やポケットの中の収納物が目立たず、お洒落な感じにできる。【選択図】図２
0003202411.tif 000002
【実用新案登録請求の範囲】
【請求項１】
ポケットの無いジャケットの下に着用する前開閉型のベストであって、前見頃の裏側に紙幣を折り曲げないで入れられる長形の財布をすっぽり入れることのできるポケットを有する事を特徴とするポケット付きベスト。
【請求項２】
軽く薄いメッシュ生地を採用することにより通気性を確保し、通年の使用を可能にし、ジャケットの下に着用しても外から見えず、シルエットの崩れが少ないことを特徴とする請求項 1 に記載のポケット付きベスト。
【考案の詳細な説明】
【技術分野】
【０００１】
本考案は、ポケットの無い女性用の上着の下に着用して、財布などの貴重品を携帯するためのベストに関するものである。
【背景技術】
【０００２】
女性用の上着には内ポケットは元より、ポケットが全くないか、又は、あったとしても上着表面に小さいポケットがあるだけで、財布を入れるには十分な大きさでなかったり、生地が薄いため財布の重さに耐えきれなかったり、あるいは防犯上安全でないという面があった。本考案は、以上のような問題点を無くすためになされたものである。
【先行技術文献】
【特許文献】
【０００３】
【特許文献１】実用新案登録第3155364号公報
【特許文献２】実用新案登録第3075460号公報
【考案の概要】
【考案が解決しようとする課題】
【０００４】
財布を収納して携帯することができるベストと言えば、釣り用、登山用あるいはジョギング用などの防寒を兼ねた厚みのあるものが一般的で、ビジネスウーマンが仕事中に着用するにはふさわしいものではない。そのため、オフィスから昼食に出かける時に財布とハンカチなど手に持って出かけるか、または、通勤用の大きな鞄を丸ごと持って出かけることになる。また、立食パーティーなどの際に、ホテルのクロークに荷物を預けても、貴重品はお持ちくださいと言われ、財布とハンカチなどだけを手に持って入室するわけにもいかず、結局大きな鞄を手に提げたまま、片手に皿を持ち、もう一方の手にグラスやフォークを持つという苦しい姿勢を強いられることになる。
【０００５】
本考案は上述の実状に鑑みてなしたもので、ビジネスウーマンが重いカバンを置いて貴重品だけ携帯したいときに、手に持つことなく両手が自由になる状態で、かつ、ウエストポーチの利用や小さい鞄の肩から斜め掛けではなく、見かけ上もスマートに携帯できるようにすることを目的とする。
【課題を解決するための手段】
【０００６】
本考案は、ポケットの無いジャケットの下に着用する前開閉型のベストで、前見頃の裏側に紙幣を折り曲げないで入れられる長形の財布をすっぽり入れることのできるポケットを有する事を特徴とするベストであって、貴重品等を安全に携帯でき、さらに、全体を薄く軽く通気性の良いメッシュ生地にし、左右の前身頃の合わせを深いV字型にすることにより、年間を通して着用できジャケットの下に着用しても外から見えず、シルエットの崩れも小さく、両手を自由に使うことが可能となる。
【０００７】
さらに本考案においては、左右の内ポケットの開口部にファスナー又はボタンとループ等で入口閉塞手段を設けることで、前屈みになったとき又は脱着の際にポケット内の収納物の滑り出しが防止される。
【考案の効果】
【０００８】
本考案のベストによれば、軽く薄く丈夫なメッシュ生地を採用することにより、ポケットのない女性用の上着の下に着用した際に、 １ 枚余分に着ている暑苦しさを感じることなく財布等をスマートに携帯することができ、大きな鞄ごと持ち歩いたり、財布やハンカチをむき出しで手に持って歩いたりする煩わしさを避けることができ、空いた両手を自由に使うことが可能となる。
【０００９】
また、左右のポケットの開口部を備え付けた閉塞手段で閉鎖することにより、前屈みになったとき又は脱着の際に収納物が滑り落ちて紛失又は破損することを防止できる。
【図面の簡単な説明】
【００１０】
【図１】本考案実施例の正面図である。
【図２】本考案実施例のベストの展開図である。
【考案を実施するための形態】
【００１１】
以下、本考案の一実施例を図面を参照しつつ説明する。
【００１２】
図１及び図２は本考案を実施する形態の一例を示すもので、図中１は左前身頃、２は右前身頃、３は後見頃、４はこれら各パーツから成るベスト本体を示し、図１は左前身頃１と右前身頃２を右前身頃裏側のボタン９aと左前身頃裏側のボタンループ９bとで閉鎖した状態を示したもので、図２は左右の前身頃１、２と後見頃３との各上部での縫着を解いて平面的に展開した状態を示す図である。
【００１３】
前記ベスト４は全体に軽く薄く丈夫なメッシュ生地を使用し、裏地も芯地もない１枚仕立てとし、左右のアームホール、Vネックの首回り、左右前見頃の合わせ、ベストの裾及びポケットの周囲に当たる布端をバイアステープ５でくるんで縫製している。Vネックを深くすることにより、ジャケットの下に着用した際に外から見えないようにすることができる。
【００１４】
本ベストの前身頃裏面には左内ポケット６、右内ポケット７を備え、各々紙幣を折り曲げないで入れられる長形の財布をすっぽり入れることのできる深さと幅を有しており、長形の財布やスマートフォンなどの収納が可能となる。左二重内ポケット８は左内ポケット６に被さって、その開口部を除いた周囲を左内ポケット６と共有した二重ポケットとなっており、ハンカチなどの小物を収納できる。右内ポケット７の開口部は、フラップ７aの先端に取り付けたボタンループ７bとボタン７cとで開閉できるようにこれらを取り付け、左内ポケット６の開口部にはファスナー６aで開閉できるようにこれを取り付け、これらにより前屈みになったとき又は脱着の際にポケットの中の収納物が滑り出て紛失又は破損することを防止できる。右表ポケット１０は右前身頃表面下部に縫着することにより、定期券などを出し入れしやすい状態で収納することが可能となる。
【００１５】
ボタンループ９bとボタン９aは、各々左右前身頃の腹部裏側に縫着する。これにより、ベストを着用した際に外から見えないように閉じることができる。
【００１６】
左右の前身頃１、２の表面及び右表ポケット１０の表面に模様入レースを縫い合わせて２枚仕立てにすると、ジャケットの前ボタンを外して着用した際に本ベストが外から見えても、メッシュ生地や左右内ポケット６、７、左二重内ポケット８、右表ポケット１０の中の収納物が目立たず、通気性を損なうこと無しにお洒落な感じにできる。
【００１７】
なお、本考案のベストは上述の形態例のみに限定されず、ポケットやベストの閉鎖手段においては、面ファスナー、ハトメなどを適宜使用することも可能である。
【符号の説明】
【００１８】
１左前身頃
２右前身頃
３後見頃
４ベスト
５バイアステープ
６左内ポケット
７右内ポケット
７aフラップ
７bボタンループ
７cボタン
８左二重内ポケット 
９aボタン
９bボタンループ
１０右表ポケット
【図１】
0003202411.tif 000003
【図２】
0003202411.tif 000004